(57)【要約】【課題】ユーザが意図しないで運転モードが変更されるのを抑制する。【解決手段】冷房運転モード及び暖房運転モードを含む主運転モードを切り換える主運転モード切換ボタン４４ａと、主運転モードとして暖房運転モードが選択されている際に設定可能な補助運転モードを切り換える補助運転モード切換ボタン４３ｃとを備えている。主運転モード切換ボタン４４ａは、本体部４１に開閉可能に設けられた蓋部材４９が閉状態であるときに蓋部材４９によって覆われる部分に設ける。補助運転モード切換ボタン４３ｃは、蓋部材４９が閉状態であるときに蓋部材４９によって覆われない部分に設ける。【選択図】図３
2012083039.tif 000002
【特許請求の範囲】
【請求項１】
冷房運転及び暖房運転が可能な空気調和機のリモコンであって、
本体部に対して開閉可能に設けられた蓋部材を備え、
冷房運転を行う冷房運転モード及び暖房運転を行う暖房運転モードを含む主運転モードを切り換える主運転モード切換ボタンと、
所定の主運転モードが選択されている際に設定可能な補助運転モードを切り換える補助運転モード切換ボタンとを備え、
前記主運転モード切換ボタンが、前記蓋部材が閉状態であるときに前記蓋部材によって覆われる部分に設けられ、
前記補助運転モード切換ボタンが、前記蓋部材が閉状態であるときに前記蓋部材によって覆われない部分に設けられていることを特徴とするリモコン。
【請求項２】
前記空気調和機が、冷媒回路を構成する配管の一部をそれぞれ有する熱交換器及び輻射パネルと、前記熱交換器の近傍に配置されたファンとを備えており、
前記所定の主運転モードが、前記熱交換器に冷媒を流して温風暖房を行う暖房運転モードであり、
前記補助運転モードが、前記熱交換器に冷媒を流して温風暖房を行い且つ前記輻射パネルに冷媒を流して輻射暖房を行う輻射暖房運転モードであることを特徴とする請求項１に記載のリモコン。
【請求項３】
輻射暖房運転モードは、
前記熱交換器に冷媒をして温風暖房を行い且つ前記輻射パネルに冷媒を流して輻射暖房を行うと共に、前記ファンによって発生する風量が所定値以上に維持される輻射暖房運転が行われる第１輻射暖房運転モードと、
前記熱交換器に冷媒をして温風暖房を行い且つ前記輻射パネルに冷媒を流して輻射暖房を行うと共に、前記ファンによって発生する風量が前記所定値未満に維持される輻射微風暖房運転が行われる第２輻射暖房運転モードと、
前記輻射暖房運転と前記輻射微風暖房運転とが自動的に切り換わる第３輻射暖房運転モードの少なくとも一つを含むことを特徴とする請求項２に記載のリモコン。
【請求項４】
複数のモードに対応した互いに異なる表示を表示可能な表示部を備え、
前記主運転モード切換ボタンによって暖房運転モードに対応した表示を前記表示部に表示させた後でなければ、前記補助運転モード切換ボタンによって切り換え可能なモードに対応した表示を前記表示部に表示させることができないことを特徴とする請求項１〜３に記載のリモコン。
【請求項５】
請求項１〜４のいずれか１項に記載のリモコンを備えた空気調和機。
【発明の詳細な説明】
【技術分野】
【０００１】
本発明は、冷房運転及び暖房運転の運転モードを切り換えるリモコン及びそれを備えた空気調和機に関するものである。
【背景技術】
【０００２】
空気調和機の室内機として、冷媒回路を構成する配管の一部をそれぞれ有する熱交換器及び輻射パネルと、熱交換器の近傍に配置された室内ファンとを備えたものが知られている（例えば、特許文献１）。この室内機の運転操作部には、冷・暖切換スイッチと、暖房モード切換スイッチとが設けられている。暖房モード切換スイッチは、温風暖房と輻射暖房の両方を行うファン・パネルモードと、温風暖房と輻射暖房とを自動的に切り換える自動モードと、輻射暖房を行うパネルモードとを設定可能である。ここで、冷・暖切換スイッチで暖房モードが設定されると共に、暖房モード切換スイッチでファン・パネルモードが設定されると、室内ファンが回転して温風暖房と輻射暖房とが同時に行われる。一方、冷・暖切換スイッチで暖房モードが設定されると共に、暖房モード切換スイッチでパネルモードが設定された場合は、室内ファンが運転オフ状態であることにより温風の吹き出しは行われないで、輻射パネルからの輻射のみが行われる。
【先行技術文献】
【特許文献】
【０００３】
【特許文献１】特開昭６３−１１３２３９号公報
【発明の概要】
【発明が解決しようとする課題】
【０００４】
上記の室内機では、冷・暖切換スイッチ及び暖房モード切換スイッチが、いずれも常に操作可能な状態となっている。従って、例えば冷・暖切換スイッチまたは暖房モード切換スイッチにユーザがぶつかった場合には、ユーザが意図しないにもかかわらず、運転モードが変更されることがある。
【０００５】
そこで、本発明の目的は、ユーザが意図しないで運転モードが変更されるのを抑制することができるリモコン及びこれを備えた空気調和機を提供することである。
【課題を解決するための手段】
【０００６】
第１の発明にかかるリモコンは、冷房運転及び暖房運転が可能な空気調和機のリモコンであって、本体部に対して開閉可能に設けられた蓋部材を備え、冷房運転を行う冷房運転モード及び暖房運転を行う暖房運転モードを含む主運転モードを切り換える主運転モード切換ボタンと、所定の主運転モードが選択されている際に設定可能な補助運転モードを切り換える補助運転モード切換ボタンとを備え、前記主運転モード切換ボタンが、前記蓋部材が閉状態であるときに前記蓋部材によって覆われる部分に設けられ、前記補助運転モード切換ボタンが、前記蓋部材が閉状態であるときに前記蓋部材によって覆われない部分に設けられている。
【０００７】
このリモコンでは、主運転モード切換ボタンが閉状態の蓋部材によって覆われる部分に設けられているので、ユーザは、冷房運転モード及び暖房運転モードを含む主運転モードを切り換えるためには、蓋部材を開ける必要がある。従って、ユーザが主運転モードを切り換える意図がない状態において、主運転モード切換ボタンが操作されることはほとんどない。よって、ユーザが意図しないで運転モードが変更されるのを抑制することができる。また、補助運転モード切換ボタンの使用頻度は、主運転モード切換ボタンの使用頻度と比べて高いと考えられるが、補助運転モード切換ボタンが閉状態の蓋部材によって覆われない部分に設けられているので、利便性が向上する。
【０００８】
第２の発明にかかるリモコンでは、第１の発明にかかるリモコンにおいて、前記空気調和機が、冷媒回路を構成する配管の一部をそれぞれ有する熱交換器及び輻射パネルと、前記熱交換器の近傍に配置されたファンとを備えており、前記所定の主運転モードが、前記熱交換器に冷媒を流して温風暖房を行う暖房運転モードであり、前記補助運転モードが、前記熱交換器に冷媒を流して温風暖房を行い且つ前記輻射パネルに冷媒を流して輻射暖房を行う輻射暖房運転モードである。
【０００９】
このリモコンでは、主運転モードとして暖房運転モードが選択されている際に、閉状態の蓋部材によって覆われていない部分に設けられている補助運転モード切換ボタンを操作することで、容易に輻射暖房運転モードを設定できる。
【００１０】
第３の発明にかかるリモコンでは、第２の発明にかかるリモコンにおいて、輻射暖房運転モードは、前記熱交換器に冷媒をして温風暖房を行い且つ前記輻射パネルに冷媒を流して輻射暖房を行うと共に、前記ファンによって発生する風量が所定値以上に維持される輻射暖房運転が行われる第１輻射暖房運転モードと、前記熱交換器に冷媒をして温風暖房を行い且つ前記輻射パネルに冷媒を流して輻射暖房を行うと共に、前記ファンによって発生する風量が前記所定値未満に維持される輻射微風暖房運転が行われる第２輻射暖房運転モードと、前記輻射暖房運転と前記輻射微風暖房運転とが自動的に切り換わる第３輻射暖房運転モードの少なくとも一つを含む。
【００１１】
このリモコンでは、補助運転モード切換ボタンを操作することで、暖房能力を重視した輻射暖房運転が行われる第１輻射暖房運転モードと、ドラフト感の防止を重視した輻射微風暖房運転が行われる第２輻射暖房運転モードと、輻射暖房運転と輻射微風暖房運転とが自動的に切り換わる第３輻射暖房運転モードとの少なくとも１つに切り換えることができる。
【００１２】
第４の発明にかかるリモコンは、第１〜第３のいずれかの発明にかかるリモコンにおいて、複数のモードに対応した互いに異なる表示を表示可能な表示部を備え、前記主運転モード切換ボタンによって暖房運転モードに対応した表示を前記表示部に表示させた後でなければ、前記補助運転モード切換ボタンによって切り換え可能なモードに対応した表示を前記表示部に表示させることができない。
【００１３】
このリモコンでは、ユーザは、表示部に暖房運転モードに対応した表示が表示されているのを確認し、補助運転モード切換ボタンを操作することで補助運転モードの設定を行うことができる。
【００１４】
第５の発明にかかる空気調和機は、第１〜第４のいずれかの発明にかかるリモコンを備えている。
【発明の効果】
【００１５】
以上の説明に述べたように、本発明によれば、以下の効果が得られる。
【００１６】
第１の発明では、主運転モード切換ボタンが閉状態の蓋部材によって覆われる部分に設けられているので、ユーザは、冷房運転モード及び暖房運転モードを含む主運転モードを切り換えるためには、蓋部材を開ける必要がある。従って、ユーザが主運転モードを切り換える意図がない状態において、主運転モード切換ボタンが操作されることはほとんどない。よって、ユーザが意図しないで運転モードが変更されるのを抑制することができる。また、補助運転モード切換ボタンの使用頻度は、主運転モード切換ボタンの使用頻度と比べて高いと考えられるが、補助運転モード切換ボタンが閉状態の蓋部材によって覆われない部分に設けられているので、利便性が向上する。
【００１７】
第２の発明では、主運転モードとして暖房運転モードが選択されている際に、閉状態の蓋部材によって覆われていない部分に設けられている補助運転モード切換ボタンを操作することで、容易に輻射暖房運転モードを設定できる。
【００１８】
第３の発明では、補助運転モード切換ボタンを操作することで、暖房能力を重視した輻射暖房運転が行われる第１輻射暖房運転モードと、ドラフト感の防止を重視した輻射微風暖房運転が行われる第２輻射暖房運転モードと、輻射暖房運転と輻射微風暖房運転とが自動的に切り換わる第３輻射暖房運転モードとの少なくとも１つに切り換えることができる。
【００１９】
第４の発明では、表示部に暖房運転モードに対応した表示が表示されているのを確認し、補助運転モード切換ボタンを操作することで補助運転モードの設定を行うことができる。
【図面の簡単な説明】
【００２０】
【図１】本発明の実施形態に係る空気調和機の概略構成を示す回路図であって、冷房運転時と温風暖房運転時の冷媒の流れを示す図である。
【図２】本発明の実施形態に係る空気調和機の概略構成を示す回路図であって、輻射暖房運転時と輻射微風暖房運転時の冷媒の流れを示す図である。
【図３】図１、２に示す空気調和機に備えられるリモコンを示す図であり、（ａ）は蓋部材が閉じられた状態、（ｂ）は蓋部材が開けられた状態をそれぞれ示す。
【図４】図３に示すリモコンの操作とモードの遷移との関係を示す図である。
【図５】リモコンの制御部で行われるモード切換処理の手順を示すフローチャートである。
【図６】空気調和機を制御する制御部の概略構成を示すブロック図である。
【発明を実施するための形態】
【００２１】
以下、本発明に係る空気調和機１の実施の形態について説明する。
【００２２】
＜空気調和機１の全体構成＞
図１及び図２に示すように、本実施形態の空気調和機１は、室内に設置される室内機２と、室外に設置される室外機３と、リモコン４(図３参照)とを備えている。室内機２は、室内熱交換器２０と、室内熱交換器２０の近傍に配置された室内ファン２１と、輻射パネル２２と、室内電動弁２３と、室内の気温を検出するための室内温度センサ２４と、を備えている。また、室外機３は、圧縮機３０と、四路切換弁３１と、室外熱交換器３２と、室外熱交換器３２の近傍に配置された室外ファン３３と、室外電動弁３４とを備えている。
【００２３】
この空気調和機１では、室内熱交換器２０、圧縮機３０、四路切換弁３１、室外熱交換器３２、及び室外電動弁３４が接続されて環状の冷媒回路１０が構成されている。また、冷媒回路１０において、室内熱交換器２０の両側の配管が、バイパス配管１１によって接続されている。このバイパス配管１１には、輻射パネル２２と室内電動弁２３が設けられている。バイパス配管１１における輻射パネル２２の両側には、パネル入温度センサ２５と、パネル出温度センサ２６が付設されている。また、冷媒回路１０における圧縮機３０の吸入側と四路切換弁３１との間にはアキュムレータ３５が介設されており、冷媒回路１０における圧縮機３０の吐出側と四路切換弁３１との間には、吐出温度センサ３６が付設されている。また、室外熱交換器３２には、室外熱交温度センサ２８が付設されている。
【００２４】
室内熱交換器２０は、冷媒回路１０の一部を構成する配管を有しており、室内熱交温度センサ２７が付設されている。室内熱交換器２０は、室内ファン２１の風上側に配置されている。室内熱交換器２０との熱交換により加熱または冷却された空気が、室内ファン２１によって温風または冷風として室内に吹き出されることで、温風暖房または冷房が行われる。
【００２５】
輻射パネル２２は、室内機２の表面側に配置されており、冷媒回路１０の一部を構成する配管を有している。この配管を流れる冷媒の熱が室内に輻射されることで輻射暖房が行われる。室内電動弁２３は、輻射パネル２２に供給される冷媒の流量を調整するために設けられている。
【００２６】
本実施形態の空気調和機１は、除湿運転、冷房運転、温風暖房運転、輻射暖房運転、輻射微風暖房運転、及び送風運転を行うことができる。除湿運転及び冷房運転は、輻射パネル２２に冷媒を流さないで室内熱交換器２０に冷媒を流して除湿及び冷房をそれぞれ行う運転であって、温風暖房運転は、輻射パネル２２に冷媒を流さないで室内熱交換器２０に冷媒を流して温風暖房を行う運転である。輻射暖房運転は、室内熱交換器２０に冷媒を流して温風暖房を行うと共に、輻射パネル２２に冷媒を流して輻射暖房を行う運転である。輻射微風暖房運転は、温風暖房運転時及び輻射暖房運転時よりも低風量で温風暖房を行うと共に、輻射パネル２２に冷媒を流して輻射暖房を行う運転である。送風運転は、冷媒回路１０内の冷媒の流れを止めた状態で室内ファン２１のみ運転し、送風を行う運転である。
【００２７】
各運転時における冷媒回路１０の冷媒の流れについて図１及び図２を用いて説明する。
冷房・除湿運転時には、室内電動弁２３が閉弁されると共に、四路切換弁３１が図１中破線で示す状態に切り換えられる。そのため、図１中破線の矢印で示すように、圧縮機３０から吐出された高温高圧冷媒は、四路切換弁３１を通って、室外熱交換器３２に流入する。そして、室外熱交換器３２において凝縮した冷媒は、室外電動弁３４で減圧された後、室内熱交換器２０に流入する。そして、室内熱交換器２０において蒸発した冷媒は、四路切換弁３１及びアキュムレータ３５を介して、圧縮機３０に流入する。
【００２８】
温風暖房運転時には、室内電動弁２３が閉弁されると共に、四路切換弁３１が図1中実線で示す状態に切り換えられる。そのため、図１中実線の矢印で示すように、圧縮機３０から吐出された高温高圧冷媒は、四路切換弁３１を通って、室内熱交換器２０に流入する。そして、室内熱交換器２０において凝縮した冷媒は、室外電動弁３４で減圧された後、室外熱交換器３２に流入する。そして、室外熱交換器３２において蒸発した冷媒は、四路切換弁３１及びアキュムレータ３５を介して、圧縮機３０に流入する。
【００２９】
輻射暖房運転時及び輻射微風暖房運転時には、室内電動弁２３が開弁されると共に、四路切換弁３１が図２中実線で示す状態に切り換えられる。そのため、図２中実線の矢印で示すように、圧縮機３０から吐出された高温高圧冷媒は、四路切換弁３１を通って、室内熱交換器２０と輻射パネル２２に流入する。そして、室内熱交換器２０と輻射パネル２２において凝縮した冷媒は、室外電動弁３４で減圧された後、室外熱交換器３２に流入する。そして、室外熱交換器３２において蒸発した冷媒は、四路切換弁３１及びアキュムレータ３５を介して、圧縮機３０に流入する。
【００３０】
＜リモコン４＞
リモコン４では、ユーザによって、運転の開始／停止の操作、運転モードの設定、室内温度の目標温度（室内設定温度）の設定、吹出風量の設定などが行われる。そして、リモコン４は、ユーザによって行われた操作や設定に基づいて、室内機２に対して制御信号を送信する。表１に示すように、本実施形態の空気調和機１では、リモコン４の操作により、主運転モードとして、自動運転モード、除湿運転モード、冷房運転モード、暖房運転モード、及び送風運転モードのいずれかを選択できるようになっている。
【００３１】
主運転モードとして暖房運転モードを選択した場合には、表１に示すように、温風暖房運転モードと、輻射暖房運転モードに含まれる輻射１運転モードと輻射２運転モードのいずれかの運転を選択することができる。なお、輻射１運転モードと輻射２運転モードは、暖房運転モードにおける補助運転モードとして設けられている。
【００３２】
【表１】
2012083039.tif 000003
【００３３】
表１に示すように、自動運転モードは、室内の温度に応じて、冷房運転、及び暖房運転を切り換えるモードである。除湿運転モードは、除湿運転を行うモードであって、冷房運転モードは、冷房運転を行うモードである。温風暖房運転モードは、温風暖房運転を行うモードであって、輻射１運転モードは、室内温度に応じて輻射暖房運転と輻射微風暖房運転とを切り換えるモードであって（第３輻射暖房運転モード）、輻射２運転モードは、輻射微風暖房運転を行うモードである（第２輻射暖房運転モード）。送風運転モードは、送風運転を行うモードである。また、自動運転モード、除湿運転モード、冷房運転モード、温風暖房運転モードまたは送風運転モードを選択した場合には、風量設定として「風量自動」、「強」、「弱」のいずれかを選択できる。なお、本実施形態では、輻射１運転モードまたは輻射２運転モードが選択された場合には、風量は自動的に制御される。
【００３４】
次に、図３を参照しつつ、リモコン４の構成について説明する。
図３に示すように、リモコン４は、平面視で略矩形形状を有している。以下の説明において、平面視における長手方向を「上下方向」と称する。
【００３５】
リモコン４は、本体部４１と、本体部４１に対して開閉可能な蓋部材４９とを有している。より具体的には、蓋部材４９は、本体部４１に対して上下方向にスライド可能に保持されている。図３（ａ）に示すように、閉状態である場合の蓋部材４９は、本体部４１の下半分を覆っている。そして、閉状態である蓋部材４９を下方にスライドさせることにより、図３（ｂ）に示すように、蓋部材４９が開状態となる。このとき、本体部４１における閉状態の蓋部材４９によって覆われていた部分が露出される。本体部４１内には、制御部（図示せず）が収容されている。
【００３６】
本体部４１は、閉状態の蓋部材４９で覆われる部分の上方に設けられた主操作部４３と、蓋部材４９を開状態にすることで操作可能となる補助操作部４４と、主操作部４３の上方に設けられており、設定温度や運転モードなどが表示される表示部４５とを有している。
【００３７】
主操作部４３は、図３（ａ）に示すように、蓋部材４９が閉状態であるときに蓋部材４９によって覆われない部分に設けられており、運転の開始／停止を行う運転ボタン４３ａと、設定温度を切り換える設定温度切換ボタン４３ｂと、補助運転モード切換ボタン４３ｃとを含んでいる。補助運転モード切換ボタン４３ｃは、主運転モードとして暖房運転モードが選択されている際に、補助運転モードを切り換えるためのものである。ここで、補助運転モードとしては、上述したように、輻射１運転モード及び輻射２運転モードがある。
【００３８】
一方、補助操作部４４は、図３（ｂ）に示すように、蓋部材４９が閉状態であるときに蓋部材４９によって覆われる部分に設けられており、主運転モードを切り換える主運転モード切換ボタン４４ａを含んでいる。主運転モードとしては、上述したように、自動運転モード、除湿運転モード、冷房運転モード、暖房運転モード、及び送風運転モードがある。
【００３９】
主運転モードは、主運転モード切換ボタン４４ａが押される度に、図４に示すように、自動運転モード、除湿運転モード、冷房運転モード、暖房運転モード、送風運転モード、自動運転モードの順に切り換わる。なお、冷房運転モードが選択された状態において、主運転モード切換ボタン４４ａが押されると、主運転モードが暖房運転モードに切り換わるが、そのとき、輻射１運転モードや輻射２運転モードが選択されるのではなく、温風暖房運転モードが選択されることになる。
【００４０】
従って、補助運転モード切換ボタン４３ｃの操作による、輻射１運転モードや輻射２運転モードの選択は、主運転モード切換ボタン４４ａを操作して、主運転モードを暖房運転モードに切り換えることで、温風暖房運転モードを選択した後でなければ、行うことができないようになっている。すなわち、温風暖房運転モードが選択された後に、補助運転モード切換ボタン４３ｃが押される度に、図４に示すように、輻射１運転モード、輻射２運転モード、温風暖房運転モード、輻射１運転モードの順に切り換わる。また、暖房運転モードが選択された状態であれば、温風暖房運転モード、輻射１運転モード及び輻射２運転モードのいずれが選択された状態であっても、主運転モード切換ボタン４４ａが押されると、主運転モードが送風運転モードに切り換わる。
【００４１】
表示部４５は、設定温度が表示される設定温度表示領域４５ａと、上述の複数の運転モードに対応した表示が表示される運転モード表示領域４５ｂとを有している。運転モード表示領域４５ｂに表示される内容は、主運転モード切換ボタン４４ａが操作されることによって主運転モードが切り換えられた場合及び補助運転モード切換ボタン４３ｃが操作されることによって補助運転モードが切り換えられた場合に、図４に示すように、切り換えられた運転モードに対応した表示に切り換わる。なお、図３においては、運転モード表示領域４５ｂに、輻射１運転モードに対応した表示が表示されている。
【００４２】
リモコン４に設けられた制御部は、主操作部４３や補助操作部４４に含まれる各ボタンが操作され、運転の開始／停止の指示や運転モード等の設定変更が行われた場合に、表示部４５への表示や室内機２への制御信号の送信を行う。
【００４３】
ここで、図５を参照しつつ、リモコン４の制御部で行われるモード切換処理の手順の一例について説明する。
【００４４】
まず、補助運転モード切換ボタン４３ｃが操作されたか否かを判断する（ステップＳ１）。補助運転モード切換ボタン４３ｃが操作されたと判断した場合には（ステップＳ１：ＹＥＳ）、主運転モードとして、暖房運転モードが選択されているか否かを判断する（ステップＳ２）。そして、暖房運転モードが選択されていると判断した場合には（ステップＳ２：ＹＥＳ）、補助運転モードに切り換える（ステップＳ３）。ステップＳ３の後は、再度ステップＳ１に戻って、補助運転モード切換ボタン４３ｃが操作されたか否かの判断を繰り返す。そして、補助運転モード切換ボタン４３ｃが操作される度に、温風暖房運転モード、輻射１運転モード、及び輻射２運転モードの間で順番に運転モードを切り換える。このとき、表示部４５の運転モード表示領域４５ｂには、切り換えられた運転モードに対応した表示が表示される。また、補助運転モード切換ボタン４３ｃが操作されていないと判断した場合（ステップＳ１：ＮＯ）、及び暖房運転モードが選択されていないと判断した場合（ステップＳ２：ＮＯ）には、後述するステップＳ４に進む。
【００４５】
次に、主運転モード切換ボタン４４ａが操作されたか否かを判断する（ステップＳ４）。主運転モード切換ボタン４４ａが操作されたと判断した場合には（ステップＳ４：ＹＥＳ）、主運転モードを切り換える（ステップＳ５）。具体的には、例えば、除湿運転モードが選択されている状態で、主運転モード切換ボタン４４ａが操作されたと判断した場合には、主運転モードを冷房運転モードに切り換える。また、冷房運転モードが選択されている状態で、主運転モード切換ボタン４４ａが操作されたと判断した場合には、主運転モードを暖房運転モードに切り換える。このとき、表示部４５の運転モード表示領域４５ｂには、切り換えられた運転モードに対応した表示が表示される。ステップＳ５の後は、再度ステップＳ１に戻って、補助運転モード切換ボタン４３ｃが操作されたか否かの判断を繰り返す。一方、主運転モード切換ボタン４４ａが操作されていないと判断した場合には（ステップＳ４：ＮＯ）、上述のステップＳ５の処理は省略する。
【００４６】
なお、上述の運転モード切換処理は、運転が行われている最中に行うことも、運転が開始される前に行うこともできる。運転が行われている最中に運転モード切換処理が行われ、運転モードが変更された場合には、運転途中で、変更後の運転モードに切り換えられる。一方、運転開始前に運転モード切換処理が行われた場合には、その後、運転ボタン４３ａが操作された際に、変更後の運転モードで運転が開始される。
【００４７】
＜制御部５＞
次に、空気調和機１を制御する制御部５について図６を参照しつつ説明する。
図６に示すように、制御部５は、記憶部５０と、運転モード制御部５１と、室内電動弁制御部５２と、室内ファン制御部５３と、圧縮機制御部５４と、室外電動弁制御部５５とを有している。なお、以下の説明においては、冷房運転モード及び暖房運転モードにかかる冷房運転、温風暖房運転、輻射暖房運転、及び輻射微風暖房運転に関する制御についてのみ説明し、自動運転モード、除湿運転モード、及び送風運転モードについての説明は省略する。
【００４８】
（記憶部５０）
記憶部５０には、空気調和機１に関する種々の運転設定や、制御プログラムや、その制御プログラムの実行に必要なデータテーブルなどが記憶されている。運転設定には、室内温度の目標温度（室内設定温度）のように、ユーザによってリモコン４が操作されることで設定されるものと、空気調和機１に対して予め設定されたものとがある。本実施形態の空気調和機１では、輻射パネル２２の目標温度範囲は、予め所定の温度範囲（例えば５０〜５５℃）に設定されている。なお、リモコン４の操作によって輻射パネル２２の目標温度範囲を設定できるようになっていてもよい。さらに、記憶部５０には、冷媒回路内の上限圧力に対応する室内熱交換器２０における熱交温度の上限温度が記憶されている。
【００４９】
（運転モード制御部５１）
運転モード制御部５１は、リモコン４により、冷房運転モード、温風暖房運転モード、または輻射２運転モードの運転開始の操作が行われると、冷房運転、暖房運転、または輻射微風暖房運転を開始する。
また、運転モード制御部５１は、リモコン４により、輻射１運転モード運転開始の操作が行われると、室内温度センサ２４で検出された室内温度が室内設定温度未満の場合に、輻射暖房運転を開始すると共に、室内温度が室内設定温度以上の場合に、輻射微風暖房運転を開始する。
なお、本実施形態の空気調和機１では、リモコン４の操作によって運転が開始される場合に、室内温度が室内設定温度よりも所定温度Ｔｂ以上高い場合には、暖房運転が開始されない。
【００５０】
また、運転モード制御部５１は、輻射１運転モード運転時において、輻射暖房運転の途中に、室内温度センサ２４で検出される室内温度が室内設定温度以上になった場合に、輻射暖房運転から輻射微風暖房運転に切り換えると共に、輻射微風暖房運転の途中に、室内温度が室内設定温度よりも所定温度Ｔａ以上低くなった場合に、輻射微風暖房運転から輻射暖房運転に切り換える。
また、運転モード制御部５１は、暖房運転を行っている際、室内温度が室内設定温度よりも所定温度Ｔｂ以上高くなった場合に、自動的に運転を停止し（サーモオフ）、その後、室内温度が室内設定温度まで低下した場合に、再び運転を開始する（サーモオン）。
【００５１】
（室内電動弁制御部５２）
室内電動弁制御部５２は、室内電動弁２３の開度を制御する。表２に示すように、冷房運転時または温風暖房運転時には、室内電動弁制御部５２は、室内電動弁２３を閉弁する。なお、表２は、各運転時における室内電動弁２３、室内ファン２１、及び圧縮機３０の制御状態を示している。
【００５２】
【表２】
2012083039.tif 000004
【００５３】
表２に示すように、輻射暖房運転時または輻射微風暖房運転時には、室内電動弁制御部５２は、輻射パネル２２の温度に基づいて室内電動弁２３の開度を制御する。具体的には、パネル入温度センサ２５及びパネル出温度センサ２６でそれぞれ検出された温度の平均値に基づいて、輻射パネル２２の表面温度（予測値）を算出し、この輻射パネル２２の表面温度の予測値（以下、単に輻射パネル温度という）が、パネル目標温度範囲（例えば５０〜５５℃）となるように、室内電動弁２３の開度を制御する。輻射パネル温度がパネル目標温度範囲よりも低いほど、室内電動弁制御部５２は、輻射パネル２２に供給される冷媒の流量が増加するように室内電動弁２３の開度を制御する。但し、運転開始時（リモコン４の操作による運転開始時またはサーモオンによる運転開始時）から所定時間ｔ１が経過するまでは、室内電動弁制御部５２は、室内電動弁２３を初期開度に制御する。なお、本実施形態では、輻射パネル温度を算出するために、パネル入温度センサ２５とパネル出温度センサ２６の検出温度の両方を用いているが、パネル入温度センサ２５の検出温度のみを用いてもよく、パネル出温度センサ２６の検出温度のみを用いてもよい。
【００５４】
（室内ファン制御部５３）
室内ファン制御部５３は、室内ファン２１の回転数を制御する。温風暖房運転の風量自動運転時、輻射暖房運転時、及び輻射微風暖房運転時にそれぞれ選択されるファンタップと、各ファンタップに対応する回転数を表３に示す。
【００５５】
【表３】
2012083039.tif 000005
【００５６】
温風暖房運転の風量自動運転時には、室内ファン制御部５３は、室内温度センサ２４で検出される室内温度や室内設定温度等に基づいて、表３に示す５段階のファンタップＡ１〜Ａ５のいずれかを選択して、このファンタップに対応する回転数（ａ１〜ａ５）に室内ファン２１を制御する。また、温風暖房運転であって、風量設定として「強」〜「弱」が設定された場合には、それぞれ予め設定されたファンタップが決定される。
【００５７】
また、冷房運転時の風量自動運転時には、室内ファン制御部５３は、室内温度センサ２４で検出される室内温度や室内設定温度等に基づいて、予め設定された複数のファンタップのいずれかを選択して、このファンタップに対応する回転数に室内ファン２１を制御する。また、冷房運転であって、風量設定として「強」〜「弱」が設定された場合には、それぞれ予め設定されたファンタップが決定される。
【００５８】
また、輻射暖房運転時には、室内ファン制御部５３は、室内温度センサ２４で検出される室内温度や室内設定温度等に基づいて、表３に示す７段階のファンタップＢ１〜Ｂ７のいずれかを選択して、このファンタップに対応する回転数（ｂ１〜ｂ７）に室内ファン２１を制御する。
【００５９】
また、輻射微風暖房運転時には、室内ファン制御部５３は、表３に示すファンタップＣ１に対応する回転数ｃ１に室内ファン２１を制御する。回転数ｃ１は、温風暖房運転時の回転数ａ１〜ａ５及び輻射暖房運転時の回転数ｂ１〜ｂ７のいずれよりも小さい。回転数ｃ１は、室内ファン２１の回転に伴う音がほとんど生じず、且つ、ドラフト感をほとんど感じさせない値である。
【００６０】
（圧縮機制御部５４）
圧縮機制御部５４は、圧縮機３０の運転周波数を制御する。
温風暖房運転時及び冷房運転時には、室内温度や室内設定温度等に基づいて、圧縮機３０の周波数を制御する。具体的には、室内温度と室内設定温度との差が大きいほど、圧縮機制御部５４は、圧縮機３０の周波数が増加するように圧縮機３０を制御する。
【００６１】
また、輻射暖房運転時及び輻射微風暖房運転時には、圧縮機制御部５４は、室内熱交温度センサ２７で検出される熱交温度が、冷媒回路内の上限圧力に対応する上限温度とほぼ一致するように圧縮機３０を制御する（この制御を上限制御とする）。具体的には、圧縮機３０の周波数は、室内温度と室内設定温度に基づく制御によって、室内熱交温度センサ２７で検出される熱交温度が上限温度を超えるように制御される場合であっても、熱交温度が上限温度を超えることなく上限温度付近の値となるように制御される。
【００６２】
（室外電動弁制御部５５）
室外電動弁制御部５５は、室内温度や室内設定温度等に基づいて、室外電動弁３４の開度を制御する。
【００６３】
＜空気調和機１の動作＞
次に、空気調和機１の各暖房運転モードの動作について説明する。
【００６４】
（温風暖房運転モード運転）
リモコン４により温風暖房運転モード運転開始の操作が行われると共に、風量設定として「風量自動」が選択されると、室内ファン制御部５３により、室内ファン２１は、室内温度に応じて、ファンタップＡ１〜Ａ５のいずれかに対応する回転数に制御される。また、圧縮機制御部５４により、圧縮機３０は、室内温度と室内設定温度との差が大きいほど、運転周波数が増加するように制御される。また、室内電動弁２３は閉弁される。
【００６５】
また、リモコン４により温風暖房運転モード運転開始の操作が行われると共に、風量設定として「強」または「弱」が選択された場合には、室内電動弁２３と圧縮機３０は、「風量自動」が選択された場合と同様に制御され、室内ファン２１は、室内ファン制御部５３によって、所定のファンタップに対応する回転数に制御される。
【００６６】
（輻射１運転モード運転）
リモコン４により輻射１運転モード運転開始の操作が行われると、運転開始の室内温度が室内設定温度未満の場合、輻射暖房運転が開始される。この場合、室内ファン制御部５３によって、室内ファン２１は、室内温度と室内設定温度に応じて、ファンタップＢ１〜Ｂ７のいずれかに対応する回転数に制御される。また、圧縮機制御部５４によって、圧縮機３０は、室内熱交温度センサ２７で検出される熱交温度が上限温度とほぼ一致するように制御される（上限制御される）。また、室内電動弁制御部５２によって、室内電動弁２３は、運転開始から所定時間ｔ１が経過するまでは、初期開度に制御され、運転開始から所定時間ｔ１が経過すると、輻射パネル温度がパネル目標温度範囲内となるように開度が制御される。
【００６７】
輻射暖房運転中に、室内温度が室内設定温度に達すると、輻射暖房運転から輻射微風暖房運転に切り換えられる。これにより、室内ファン制御部５３によって、室内ファン２１は、ファンタップＣ１に対応する回転数ｃ１に制御される。また、室内電動弁制御部５２及び圧縮機制御部５４によって、室内電動弁２３及び圧縮機３０は、輻射微風暖房に切り換えられる前と同様に制御される。
【００６８】
室内温度がさらに上昇して、室内設定温度が室内設定温度よりも所定温度Ｔｂ以上高くなると、自動的に運転が停止する（サーモオフ）。これにより、室内ファン２１及び圧縮機３０は停止し、室内電動弁２３は全閉状態に切り換えられる。その後、室内温度が室内設定温度まで低下すると、再び運転が開始される（サーモオン）。
【００６９】
輻射微風暖房運転中に、室内温度が室内設定温度よりも所定温度Ｔａ以上低くなると、輻射微風暖房運転から輻射暖房運転に切り換えられ、上述した輻射暖房運転時と同様に、室内電動弁２３、室内ファン２１及び圧縮機３０は制御される。
【００７０】
（輻射２運転モード運転）
リモコン４により輻射２運転モード運転開始の操作が行われると、輻射微風暖房運転が開始される。室内ファン制御部５３によって、室内ファン２１は、ファンタップＣ１に対応する回転数ｃ１に制御される。また、圧縮機制御部５４によって、圧縮機３０は、室内熱交温度センサ２７で検出される熱交温度が上限温度とほぼ一致するように制御される（上限制御される）。また、室内電動弁制御部５２によって、室内電動弁２３は、運転開始から所定時間ｔ１が経過するまでは、初期開度に制御され、運転開始から所定時間ｔ１が経過すると、輻射パネル温度がパネル目標温度範囲内となるように開度が制御される。
【００７１】
（デフロスト運転）
また、空気調和機１では、暖房運転モード運転時に室外熱交換器３２に付着した霜を取り除くために、四路切換弁３１を図１及び図２中破線で表示した状態に切り換えて、暖房運転から除霜運転（デフロスト運転）に切り換える。本実施形態の空気調和機１では、除霜運転を行う場合に、室内電動弁２３を閉弁する。これにより、輻射パネル２２に低温の冷媒が流れないため、輻射パネル２２の温度低下を抑制することができる。そのため、再び暖房運転を開始したときに、輻射パネル２２の温度を迅速にパネル目標温度範囲内とすることができる。
【００７２】
なお、除霜運転時の室内電動弁２３の制御はこれに限定されるものではなく、輻射パネル温度が所定の温度になるまで、室内電動弁２３を所定の開度に維持して、輻射パネル温度が上記所定の温度まで下がったときに、室内電動弁２３を閉状態に切り換えてもよい。この場合、輻射パネル２２に低温の冷媒が流れるため、輻射パネル２２の温度はある程度低下するものの、輻射パネル２２内に蓄えられた熱量を室外熱交換器３２の除霜に利用することができるため、上述した場合よりも室外熱交換器３２に付着した霜を迅速に取り除くことができる。
【００７３】
＜本実施形態のリモコン４の特徴＞
本実施形態のリモコン４では、冷房運転モード及び暖房運転モードを含む主運転モードを切り換える主運転モード切換ボタン４４ａと、主運転モードとして暖房運転モードが選択されている際に設定可能な補助運転モードを切り換える補助運転モード切換ボタン４３ｃとを備えている。そして、主運転モード切換ボタン４４ａは、本体部４１に開閉可能に設けられた蓋部材４９が閉状態であるときに蓋部材４９によって覆われる部分に設けられている。補助運転モード切換ボタン４３ｃは、蓋部材４９が閉状態であるときに蓋部材４９によって覆われない部分に設けられている。従って、ユーザは、主運転モードを切り換えるためには、蓋部材４９を開ける必要がある。よって、ユーザが主運転モードを切り換える意図がない状態において、主運転モード切換ボタン４４ａが操作されることはほとんどない。故に、ユーザが意図しないで運転モードが変更されるのを抑制することができる。また、補助運転モード切換ボタン４３ｃの使用頻度は、主運転モード切換ボタン４４ａの使用頻度と比べて高いと考えられるが、補助運転モード切換ボタン４３ｃが閉状態の蓋部材４９によって覆われない部分に設けられているので、利便性が向上する。
【００７４】
また、本実施形態のリモコン４では、暖房運転モードが選択されている際に、輻射暖房運転モードである補助運転モードを切り換えることができる。したがって、主運転モードとして暖房運転モードが選択されている際に、閉状態の蓋部材４９によって覆われていない部分に設けられている補助運転モード切換ボタン４３ｃを操作することで、容易に輻射暖房運転モードを設定できる。
【００７５】
さらに、本実施形態のリモコン４では、輻射暖房運転モードは、輻射１運転モードと、輻射２運転モードとを含んでいる。したがって、補助運転モード切換ボタン４３ｃを操作することで、輻射暖房運転と輻射微風暖房運転とが自動的に切り換わる輻射１運転モードと、ドラフト感の防止を重視した輻射微風暖房運転が行われる輻射２運転モードとの少なくとも１つに切り換えることができる。
【００７６】
また、本実施形態のリモコン４では、主運転モード切換ボタン４４ａによって温風暖房運転モードに対応した表示を表示部４５の運転モード表示領域４５ｂに表示させた後でなければ、補助運転モード切換ボタン４３ｃによって切り換え可能な輻射１運転モードや輻射２運転モード対応した表示を運転モード表示領域４５ｂに表示させることができない。したがって、ユーザは、表示部４５の運転モード表示領域４５ｂに温風暖房運転モードに対応した表示が表示されているのを確認し、補助運転モード切換ボタン４３ｃを操作することで輻射１運転モードや輻射２運転モードの設定を行うことができる。
【００７７】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００７８】
上述の実施形態では、主運転モードが暖房運転モードである状態において、補助運転モードである輻射１運転モードや輻射２運転モードに切り換え可能である場合を説明したが、これには限定されない。従って、例えば、主運転モードが冷房運転モードである場合に、室内風量や風向きなどが所定条件に設定された補助運転モードに切り換え可能であってもよい。
【００７９】
また、上述の実施形態では、リモコン４が、本体部４１に対して上下にスライドすることで開閉される蓋部材４９を有している場合について説明したが、これには限定されない。従って、リモコン４が、本体部４１の一端に対して揺動可能に支持された蓋部材を有していてもよい。
【００８０】
また、上述の実施形態では、補助運転モードとして、輻射１運転モードや輻射２運転モードに切り換え可能である場合を説明しているが、その他、温風暖房を行い且つ輻射暖房を行うと共に、風量を輻射微風暖房運転時以上に維持するような、暖房能力を重視したモードに切り換え可能であってもよい。
【００８１】
加えて、上述の実施形態では、リモコン４を備えた空気調和機１の室内機２が、輻射パネル２２を有している場合について説明したが、本発明は、輻射パネル２２を有さない空気調和機１に対しても適用可能である。
【００８２】
また、上述の実施形態では、リモコン４が表示部４５を備えている場合について説明したが、表示部４５はなくてもよい。
【産業上の利用可能性】
【００８３】
本発明を利用すれば、ユーザが意図しないで運転モードが変更されるのを抑制できる。
【符号の説明】
【００８４】
１  空気調和機
４  リモコン
１０  冷媒回路
２０  室内熱交換器
２１  室内ファン
２２  輻射パネル
４１  本体部
４９  蓋部材
４３ｃ  補助運転モード切換ボタン
４４ａ  主運転モード切換ボタン
４５  表示部
【図１】
2012083039.tif 000006
【図２】
2012083039.tif 000007
【図３】
2012083039.tif 000008
【図４】
2012083039.tif 000009
【図５】
2012083039.tif 000010
【図６】
2012083039.tif 000011